(57)【要約】      （修正有）【課題】冷房運転時の省電力化を図る空気調和装置を提供する。【解決手段】空気調和装置の室外機は圧縮機、凝縮器、及び送風機からなる。これらに、微細水粒子を送風機からの送風中あるいは凝縮器フィンに直接微細水粒子噴霧する噴霧器を付加し、送風中の微細水粒子の、あるいは凝縮器フィンに付着した微細水粒子の、気化冷却によって、凝縮器による熱交換、即ち凝縮器外気による凝縮器中の冷媒冷却、に対する熱交換効率を向上させる。【選択図】図１
0003169504.tif 000002
【実用新案登録請求の範囲】
【請求項１】
圧縮機、凝縮器、及び送風機を主たる構成要素とする空気調和装置室外機に、噴霧器を付加し、該噴霧器によって、送風機による送風中に、あるいは凝縮器フィンに直接、微細粒子化した水を噴霧し、送風中の微細水粒子の、あるいは凝縮器フィンに付着した微細水粒子の、効率的な気化冷却によって、凝縮器中の冷媒に対する冷却能率を向上させ、冷房運転時の省電力化を図ること、を特徴とする空気調和装置。
【考案の詳細な説明】
【技術分野】
【０００１】
本考案は、分離型空気調和装置における冷房運転時の省電力化策に関する。
【背景技術】
【０００２】
夏季の家庭における電力使用量の内３０％以上は空気調和装置（エアコン、以下特に断らない限り以下エアコンという）の冷房運転によるものといわれている。従ってエアコン冷房運転時の省エネルギー化方策、特に新たに開発・製造するエアコンへの適用性は勿論、既存のエアコンにも適用できる方策、への社会的要求度は今非常に高いと言える。
従来エアコン冷房運転時の水の気化冷却作用を応用した省電力化策あるいは関連方策としては、室外機凝縮器の熱交換効率を上げる方法、室内機で生成される凝縮水の処理を行う方法、あるいは室外機排熱風の冷却方法等、が提案され実行されている。
凝縮器の熱交換効率を上げる方法として具体的には、冷房運転中室内機によって生じた結露水を霧化した後室外機に導き、室外機の凝縮器に吹き付けて凝縮器冷却に利用する方法（特許文献１）、冷房運転中室内機によって生じた凝縮水を室外機熱交換器即ち凝縮器の空気吹きだし側に隣接して設けた凝縮水蒸発手段に導いて凝縮水を蒸発処理する方法（特許文献２）、室外機排気側面に多数の吸水シートを保持・立設した給水体ユニットと該給水体ユニットを受容して給水体シートの下部を水で湿潤する水受け容器からなる冷却装置を設け、該冷却装置中に凝縮器から排出される排熱風を通過させることによって排熱を冷却し、屋外機から周辺に排出される排熱風の弊害を防止する方法（特許文献３）等がある。
【０００３】
しかし上記特許文献１の方法は、室内機によって生成される結露水（凝縮水）の処理方策としての凝縮器冷却であり、室外機における前記結露水の処理効果は十分であっても、凝縮性能向上効果は結露水（凝縮水）量からもあるいは凝縮器における気化冷却効率の面からも十分であるとはいえない。
また、特許文献２の方法は室内機によって生成された結露水（凝縮水）の処理を目的としたもの、特許文献３の方法による冷却効果は、あくまでも凝縮器通過後の排熱風に対してのものであって、凝縮器冷却という点からは不十分である。
【０００４】
一方、空気調和機の省エネルギー化を直接的な目的とした方法として、室外機の外側周辺に水を噴霧することによって凝縮器に送風される外気を冷却し、省エネルギー化を図ろうとする試みもある（非特許文献１）。しかしこれは室外機外辺の空気冷却による凝縮器冷却効率向上方策ではあるが、凝縮器冷却の為の気化冷却が凝縮器に対して直接行われるものではなく周辺外気に対して行われるものであり、したがって凝縮器冷却効果は不十分であり、また噴霧すべき水量も多くなる恐れもある。
【先行技術文献】
【特許文献】
【０００５】
【特許文献１】特開平６−３３１１６１
【特許文献２】特開平９−０７９６１４
【特許文献３】特開２００２−２５７３７８
【非特許文献】
【０００６】
【非特許文献１】http:www.kokua-group.com/aircon_precooling/index.html ：「エアコンプレクーリングキット」
【考案の概要】
【考案が解決しようとする課題】
【０００７】
本考案は、エアコン冷房時における主として室外機内の凝縮器駆動の省電力化を上記各従来方法に比べて効率化し、かつ既存のエアコンにおいても比較的簡易に適用できる方策を提案するものである。
【課題を解決するための手段】
【０００８】
エアコン室外機中の凝縮器の凝縮効率を向上させる方策として、エアコン室外機を構成する圧縮機、凝縮器、送風機に対し、前記送風機から前記凝縮器に送風される送風中および前記凝縮器の冷却用フィンに対して直接、霧化した水粒子を噴霧する噴霧器を設ける。
ここで噴霧前記器への水の供給は噴霧が必要十分な量行えるように外部の水道から自動的に噴霧器に対して供給されるようにする。
前記噴霧器によって送風中に霧化され噴霧された微細水粒子は送風中で気化冷却によって送風を冷却する。また凝縮器の冷却用フィンに対して直接噴霧され（フィンに）付着した微細水粒子は送風機からの送風によって効率よく気化冷却される。これらの気化冷却の結果、凝縮器における冷媒と外気との熱交換の効率が上がり、エアコンの電力使用効率が向上する。
即ち、上記方策によって凝縮器における熱交換効率は、単に送風機の送風による凝縮器冷却あるいは前記凝縮器冷却効率向上策による冷却に比べても、大幅に向上する。
【考案の効果】
【０００９】
上記の如くエアコン室外機を構成・動作させることによって、凝縮器における凝縮器周辺外気と凝縮器内冷媒との熱交換効率、冷媒冷却能力は向上し、空気調和機としての電力消費量の低減即ち省エネルギー化を図ることができる。
【図面の簡単な説明】
【００１０】
【図１】本考案におけるエアコン室外機構成例
【考案を実施するための形態】
【００１１】
エアコン室外機の送風機と凝縮器の間に水を霧化（微細粒子化）凝縮器に噴霧するための噴霧器を設ける。噴霧器は単数に限定したものではなく、凝縮器において効率的・効果的に熱交換が行えるように適当な位置に分散して複数個設けてもよい。また噴霧器から噴霧する水は必要十分な量確保するため、基本的には外部から、例えば水道から、噴霧器に対して必要量を自動的に供給する。但し水道水の消費量を低減するため、凝縮器に噴霧された水の気化残の分は下部に設けた受け皿で受けて噴霧用に再利用してもよい。また、室内機で生成される結露水（凝縮水）を室外機に導いて前記受け皿に蓄え噴霧用に使うことも有効である。
又噴霧すべき水を水道から自動的に噴霧機に供給する代わりに、上記受け皿に定期的に外部から水を（手動で）補給する方法もある。
【実施例１】
【００１２】
図１に本考案の実施例１を示す。
図１において、
１００は、エアコン室外機、
１０１は、エアコン室内機から送られてくる気体状態の冷媒（フロン等）を圧縮する圧縮機、
１０２は、凝縮器１０３に対して凝縮器冷却の為外気を送風する送風機（冷却ファン）、
１０３は、圧縮機で圧縮され高温になった冷媒を送風機１０２からの送風によって冷却して液体に戻す凝縮器、
１０４は、冷媒圧力を調整するための電磁弁（拡張弁）であり、本電磁弁通過後冷媒は液体となる。
１０５は、外部の水道等から供給される水を霧化して送風中あるいは凝縮器フィンに向けて吹き付け、気化冷却によって凝縮器内の冷媒の冷却を促進させる噴霧器、
である。
【００１３】
以上の如く従来の空気調和機室外機に、噴霧器１０５を付加し、噴霧器に対して必要十分な水を供給して水を微細粒子化して凝縮器フィンに噴霧せしめ、凝縮器における単なる送風機からの外気送風による冷却を、気化冷却された送風および凝縮器フィンに噴霧された水の微細粒子の気化冷却による冷却促進によって、凝縮器中の冷媒への冷却効果を向上させ、その結果としてエアコンとしての冷房運転に際しての電力消費量を低減することができる。
【実施例２】
【００１４】
実施例１においては、噴霧器１０５において凝縮器１０３に対して噴霧される水は外部から供給される水道水としているが、これに加えて室内機における結露水を室外機に導いて使用する、あるいは、噴霧機１０５において噴霧された水分のうち気化されずに残った水分を凝縮器下部に設けた受け皿（図示せず）で受けてそれを噴霧用に再利用することも可能である。
あるいは水道からの水の供給に代えて、受け皿に定期的に噴霧すべき水を一定量ずつ供給する方法もある。
【産業上の利用可能性】
【００１５】
本考案は、上記の如く、比較的簡単な構成要素である噴霧器を従来のエアコン室外機に付加することによって、エアコン冷房運転時の消費電力の軽減を図ることができる。
本考案による構成は新たに開発・製造時されるエアコンに対しては勿論有効であるが、既存のエアコン室外機の改造によっても構成することができ、かつ相応の効果を得ることもできる。
【符号の説明】
【００１６】
図１において、
１００は、エアコン室外機、
１０１は、圧縮機、
１０２は、送風機、
１０３は、凝縮器、
１０４は、電磁弁、
１０５は、噴霧器、
である。
【図１】
0003169504.tif 000003